(57)【要約】【課題】鍵違い数を確保したうえで小型化できるシリンダ錠及びそのシリンダ錠に対応したキーを提供する。【解決手段】複数の板タンブラ２１〜２８を備えるロータ１３に正規の内溝キー１２が差し込まれることにより、板タンブラ２１〜２８がロータ１３の外周面１３ａより内側に退避してロータ１３を回動可能とする回動許容位置に移動するシリンダ錠１１であって、内溝キー１２は、板タンブラ２１〜２８と係合して該板タンブラ２１〜２８を回動許容位置に位置させる抜き差し方向Ｎに沿って波状をなす係合溝部６０が形成されており、ロータ１３には、抜き差し方向Ｎに沿って配列された２つの板タンブラ（２１〜２８）を１つで収容可能な収容室（４１〜４４）を複数備え、１つの収容室（４１〜４４）内において互いに当接し合う両板タンブラ（２１〜２８）は、該板タンブラ（２１〜２８）の可動方向Ｍに沿って互いに反対方向へ付勢されている。【選択図】      図１
2005344305.tif 000002
【特許請求の範囲】
【請求項１】
複数の板タンブラを備えるロータに正規のキーが差し込まれることにより、前記板タンブラが前記ロータの外周面より内側に退避して前記ロータを回動可能とする回動許容位置に移動するシリンダ錠であって、
前記キーは、前記板タンブラと係合して該板タンブラを回動許容位置に位置させる抜き差し方向に沿って波状をなす係合部が形成されたキーであり、
前記ロータには、前記抜き差し方向に沿って配列された複数の前記板タンブラを１つで収容可能な収容室を複数備え、
１つの前記収容室内において互いに当接し合う前記両板タンブラは、該板タンブラの可動方向に沿って互いに反対方向へ付勢されていることを特徴とするシリンダ錠。
【請求項２】
前記板タンブラは、前記板タンブラに前記キーを挿通する挿通孔が形成されていることにより該板タンブラの可動方向と直交する方向に互いに対向するように設けられた第１内面及び第２内面と、前記第１内面から突出するように設けられ前記キーの前記係合部と係合可能な第１係合突部と、前記第２内面から突出するように設けられ前記キーの前記係合部と係合可能な第２係合突部とを備え、
前記ロータは、前記外周面に設けられ前記収容室へ前記板タンブラを収容するための第１収容口と、前記外周面における前記第１収容口とは反対側に設けられ前記収容室へ前記板タンブラを収容するための第２収容口とを備え、
前記第１収容口から前記収容室へ収容された前記板タンブラは、前記第１係合突部が前記キーの前記係合部と係合して前記第２係合突部が前記キーの前記係合部と係合せず、前記第２収容口から前記収容室へ収容された前記板タンブラは、前記第２係合突部が前記キーの前記係合部と係合して前記第１係合突部が前記キーの前記係合部と係合しないように構成されていることを特徴とする請求項１に記載のシリンダ錠。
【請求項３】
前記板タンブラは、前記ロータの前記外周面において互いに反対側からそれぞれ突出可能でかつ該板タンブラの前記可動方向の両端部である第１端部及び第２端部とを備え、
前記第１端部から前記第１係合突部までの距離と前記第１端部から前記第２係合突部までの距離とが等しく形成されていることを特徴とする請求項２に記載のシリンダ錠。
【請求項４】
前記キーは内溝キーであり、前記内溝キーは、その一側面のみに係合部が形成されたものであることを特徴とする請求項１乃至請求項３のうちいずれか１項に記載のシリンダ錠。
【請求項５】
請求項１乃至請求項４のうちいずれか１項に記載のシリンダ錠に対応し、かつ前記シリンダ錠の板タンブラと係合して該板タンブラを回動許容位置に位置させる抜き差し方向に沿って波状をなす係合部を備えたキー。
【発明の詳細な説明】
【技術分野】
【０００１】
本発明は、キーにより解錠を行うシリンダ錠及びそのシリンダ錠に対応したキーに関するものである。
【背景技術】
【０００２】
従来、内溝キーにより解錠を行うシリンダ錠が提案されている（特許文献１）。このシリンダ錠は、ロータと、ロータ内に配置され該ロータの外周面に対して突出入可能な複数の板タンブラとを備えている。ロータに正規の内溝キーが挿入されると、全ての板タンブラがロータの外周面よりも内側に移動してロータが回転可能となり、このロータを回転させることによりシリンダ錠は解錠される。近年では、上記内溝キーなどのメカニカルキーが、電子キーに内蔵されることが増えつつある。
【特許文献１】特開平７−２５９４００号公報
【発明の開示】
【発明が解決しようとする課題】
【０００３】
ところで、電子キーに内蔵されるメカニカルキー（内溝キー）は、より一層、薄型・小型への移行が望まれている。メカニカルキーを薄型・小型にするためには、対応するシリンダ錠も小型化する必要がある。シリンダ錠の小型化の最も有効な手段としては、板タンブラの数を減らすことが考えられるが、板タンブラの数を減らすと鍵違い数が減ってしまうという問題があった。
【０００４】
本発明は、前述した事情に鑑みてなされたものであって、その目的は鍵違い数を確保したうえで小型化できるシリンダ錠及びそのシリンダ錠に対応したキーを提供することにある。
【課題を解決するための手段】
【０００５】
上記目的を達成するために、請求項１に記載の発明は、複数の板タンブラを備えるロータに正規のキーが差し込まれることにより、前記板タンブラが前記ロータの外周面より内側に退避して前記ロータを回動可能とする回動許容位置に移動するシリンダ錠であって、前記キーは、前記板タンブラと係合して該板タンブラを回動許容位置に位置させる抜き差し方向に沿って波状をなす係合部が形成されたキーであり、前記ロータには、前記抜き差し方向に沿って配列された複数の前記板タンブラを１つで収容可能な収容室を複数備え、１つの前記収容室内において互いに当接し合う前記両板タンブラは、該板タンブラの可動方向に沿って互いに反対方向へ付勢されている。
【０００６】
請求項２に記載の発明は、請求項１に記載の発明において、前記板タンブラは、前記板タンブラに前記キーを挿通する挿通孔が形成されていることにより該板タンブラの可動方向と直交する方向に互いに対向するように設けられた第１内面及び第２内面と、前記第１内面から突出するように設けられ前記キーの前記係合部と係合可能な第１係合突部と、前記第２内面から突出するように設けられ前記キーの前記係合部と係合可能な第２係合突部とを備え、前記ロータは、前記外周面に設けられ前記収容室へ前記板タンブラを収容するための第１収容口と、前記外周面における前記第１収容口とは反対側に設けられ前記収容室へ前記板タンブラを収容するための第２収容口とを備え、前記第１収容口から前記収容室へ収容された前記板タンブラは、前記第１係合突部が前記キーの前記係合部と係合して前記第２係合突部が前記キーの前記係合部と係合せず、前記第２収容口から前記収容室へ収容された前記板タンブラは、前記第２係合突部が前記キーの前記係合部と係合して前記第１係合突部が前記キーの前記係合部と係合しないように構成されている。
【０００７】
請求項３に記載の発明は、請求項２に記載の発明において、前記板タンブラは、前記ロータの前記外周面において互いに反対側からそれぞれ突出可能でかつ該板タンブラの前記可動方向の両端部である第１端部及び第２端部とを備え、前記第１端部から前記第１係合突部までの距離と前記第１端部から前記第２係合突部までの距離とが等しく形成されている。
【０００８】
請求項４に記載の発明は、請求項１乃至請求項３のうちいずれか１項に記載の発明において、前記キーは内溝キーであり、前記内溝キーは、その一側面のみに係合部が形成されたものである。
【０００９】
請求項５に記載の発明は、請求項１乃至請求項４のうちいずれか１項に記載のシリンダ錠に対応し、かつ前記シリンダ錠の板タンブラと係合して該板タンブラを回動許容位置に位置させる抜き差し方向に沿って波状をなす係合部を備えた。
【００１０】
（作用）
請求項１に記載の発明によれば以下に示す作用を得る。本発明のシリンダ錠は、ロータの各収容室に板タンブラが複数ずつ収容されている。そのため、本発明のシリンダ錠は、各収容室にそれぞれ１つずつ板タンブラを収容したシリンダ錠に比して、各収容室を区切る壁が少なくて済む分、ロータの軸線方向長さ及びキーの抜き差し方向長さを短くでき、鍵違い数を確保した上で小型化できる。また、本発明のシリンダ錠は、互いに当接し合う両板タンブラを、該板タンブラの可動方向に沿って互いに反対方向へ付勢するように構成したため、該シリンダ錠にキーを好適に抜き差しできる。この理由は、もし、互いに当接し合う両板タンブラを、該板タンブラの可動方向に沿って共に同方向へ付勢するようにシリンダ錠を構成すると、そのキーは、係合部に直角の段差（図７参照）を有した構成となる。キーの係合部に直角の段差があると、そのキーがシリンダ錠に抜き差しできなくなってしまうからである。
【００１１】
請求項２に記載の発明によれば、請求項１に記載の発明の作用に加えて以下に示す作用を得る。第１収容口から収容室へ収容した板タンブラは、その第１係合突部がキーの係合部と係合し、その第２係合突部が該係合部と係合しない。逆に、第２収容口から収容室へ収容した板タンブラは、その第２係合突部がキーの係合部と係合し、その第１係合突部が該係合部と係合しない。よって、板タンブラに一つの係合突部を形成した場合に比して、本発明では、鍵違い数を確保するための板タンブラの種類数を半減させることが可能となる。
【００１２】
請求項３に記載の発明によれば、請求項２に記載の発明の作用に加えて以下に示す作用を得る。第１端部から第１係合突部までの距離と第１端部から第２係合突部までの距離とが等しくなるように板タンブラを形成したため、それらの距離が共に等しくない場合に比して、シリンダ錠を組み付ける作業者は、板タンブラの管理を行いやすくなる。
【００１３】
請求項４に記載の発明によれば、請求項１乃至請求項３のうちいずれか１項に記載の発明の作用に加えて以下に示す作用を得る。キーは、その一側面のみに係合部を形成したため、両面に係合部を形成したキーと比してその厚さを薄く構成することができ、携帯性を向上させることが可能となる。
【００１４】
請求項５に記載の発明によれば、請求項１乃至請求項４のうちいずれか１項に記載の作用を得ることができる。
【発明の効果】
【００１５】
本発明によれば、鍵違い数を確保したうえで小型化できる。
【発明を実施するための最良の形態】
【００１６】
以下、本発明を具体化した一実施形態を図１〜図８に従って説明する。
図１に示すように、シリンダ錠１１は、正規の内溝キー１２と協働して施解錠を行うものである。内溝キー１２はキーに相当する。
【００１７】
まず、シリンダ錠１１の構成の概要を説明する。
シリンダ錠１１は、ロータ１３、ロータケース１４を備えている。ロータケース１４は、図示しない支持部材に固定されている。ロータケース１４は、シリンダ１４ａを備えており、このシリンダ１４ａに、ロータ１３が回転可能に収容されている。ロータ１３は、第１ロータ端部１５と、その第１ロータ端部１５と反対の端部である第２ロータ端部１６とを備えている。ロータ１３の第１ロータ端部１５には、内溝キー１２を差し込むためのキー差込孔１７が形成されている。
【００１８】
ロータ１３には、８つの板タンブラ２１，２２，２３，２４，２５，２６，２７，２８が収容されている。ロータ１３には、各板タンブラ２１〜２８に対応したスプリング３１，３２，３３，３４，３５，３６，３７，３８が収容されている。スプリング３１，３３，３５，３７は第１付勢手段に相当し、スプリング３２，３４，３６，３８は第２付勢手段に相当する。各スプリング３１〜３８は、ロータ１３の外周面１３ａからそれぞれ対応する板タンブラ２１〜２８を突出させるように付勢している。
【００１９】
図２及び図３に示すように、シリンダ１４ａの内周面には、係合凹部４０が形成されている。係合凹部４０は、ロータ１３の軸線Ｏ１方向に沿って延びるように形成されている。
【００２０】
シリンダ錠１１は、ロータ１３のキー差込孔１７に正規でない内溝キーが差し込まれた場合、或いはキー差込孔１７にキーが差し込まれていない場合には、複数の板タンブラ２１〜２８のうち少なくとも一つがロータ１３の外周面１３ａから突出し、かつその板タンブラ（２１〜２８）が係合凹部４０に係合している。よって、ロータ１３はシリンダ１４ａに対して回動不能であり、この結果、解錠が行われない。
【００２１】
一方、シリンダ錠１１は、ロータ１３のキー差込孔１７に正規の内溝キー１２が差し込まれた場合には、全ての板タンブラ２１〜２８がロータ１３の外周面１３ａより内側に引っ込み、全ての板タンブラ２１〜２８が係合凹部４０と係合しなくなる。よって、ロータ１３はシリンダ１４ａに対して回動可能となり、この結果、解錠を行うことが可能となる。ちなみに、図２及び図３は、正規の内溝キー１２がロータ１３に差し込まれているため、全ての板タンブラ２１〜２８がロータ１３の外周面１３ａより内側に引っ込んでいる。
【００２２】
なお、本実施形態では、板タンブラ２１〜２８が、ロータ１３の外周面１３ａより内側に引っ込んだ状態を、「板タンブラ２１〜２８が回動許容位置に位置する」という。
次に、シリンダ錠１１の構成を詳述する。
【００２３】
図４（ｂ）に示すように、ロータ１３には、第１ロータ端部１５から第２ロータ端部１６へ向けて４つの収容室４１，４２，４３，４４が順に等間隔で形成されている。
収容室４１〜４４は、ロータ１３に対して径方向に貫通した貫通孔である。収容室４１には板タンブラ２１，２２が互いに当接状態で収容され、収容室４２には板タンブラ２３，２４が互いに当接状態で収容されている。収容室４３には板タンブラ２５，２６が互いに当接状態で収容され、収容室４４には板タンブラ２７，２８が互いに当接状態で収容されている。即ち、板タンブラ２１〜２８は、内溝キー１２の抜き差し方向Ｎ（軸線Ｏ１方向）に沿って配列されている。
【００２４】
収容室４１〜４４は、その軸線Ｏ１方向長さが、板タンブラ（２１〜２８）の２つ分の厚さと同じとされている。ロータ１３は、隣り合う収容室（４１〜４４）同士の間隔は板タンブラ（２１〜２８）の１つ分の厚さと同じとされている。
【００２５】
板タンブラ２１，２２は、外周面１３ａにおける互いに反対側から収容室４１へ収容されている。ロータ１３は、図５に示すように収容室４１によって形成された一方側の開口が、収容室４１へ板タンブラ２１を収容するための第１収容口４１ａとされており、図４（ｂ）に示すようにもう一方側の開口が、収容室４１へ板タンブラ２２を収容するための第２収容口４１ｂとされている。
【００２６】
同様に、ロータ１３の収納室４２部分には、第１収容口４２ａ及び第２収容口４２ｂを備えており、ロータ１３の収納室４３部分には、第１収容口４３ａ及び第２収容口４３ｂを備えており、ロータ１３の収納室４４部分には、第１収容口４４ａ及び第２収容口４４ｂを備えている。第１収容口４１ａ〜４４ａは、外周面１３ａにおいて軸線Ｏ１に沿って一列に並ぶように形成されている。第２収容口４１ｂ〜４４ｂは、外周面１３ａにおいて、軸線Ｏ１に沿って一列に並ぶように形成されている。
【００２７】
図２及び図３に示すように、板タンブラ２１〜２８は、それぞれ対応するスプリング３１〜３８により、軸線Ｏ１からそれぞれ対応する収容口（第１収容口４１ａ〜４４ａ，第２収容口４１ｂ〜４４ｂ）へ向けて付勢されている。
【００２８】
図２に示すように、板タンブラ２１は、軸線Ｏ１と直交する方向（以下、可動方向Ｍという）へ移動可能に構成されている。板タンブラ２１は、可動方向Ｍの両端部である第１端部５１と第２端部５２とを備えている。板タンブラ２１は、内溝キー１２を挿通するための挿通孔５３が形成されている。板タンブラ２１は、挿通孔５３内において、可動方向Ｍと直交する方向（以下、対向方向ｄという）に互いに対向するように第１内面５３ａと第２内面５３ｂとが形成されている。板タンブラ２１は、第１内面５３ａから突出する第１係合突部５４が形成され、第２内面５３ｂから突出する第２係合突部５５が形成されている。
【００２９】
板タンブラ２２〜２８においても、前記板タンブラ２１に形成されている第１端部５１、第２端部５２、挿通孔５３、第１内面５３ａ、第２内面５３ｂ、第１係合突部５４、第２係合突部５５と同様のそれらが形成されている。ここでは、説明の便宜上、板タンブラ２２〜２８においても、それらを板タンブラ２１のそれらと同様に符号を付している。
【００３０】
図２に示すように、板タンブラ２１，２３，２５，２７は、可動方向Ｍに沿って移動することにより、その第１端部５１が外周面１３ａの第１収容口４１ａ側（図中下側）から突出したり、その第２端部５２が外周面１３ａの第１収容口４１ａとは反対側（図中上側）から突出したりする。
【００３１】
一方、図３に示すように、板タンブラ２２，２４，２６，２８は、可動方向Ｍに沿って移動することにより、その第１端部５１が外周面１３ａの第２収容口４１ｂ側（図中上側）から突出したり、その第２端部５２が外周面１３ａの第２収容口４１ｂとは反対側（図中下側）から突出したりする。上記第１端部５１及び第２端部５２が外周面１３ａから突出すると前記係合凹部４０に係合する。
【００３２】
内溝キー１２の一側面には、各内溝キー毎に鍵違いを持たせるための係合部としての係合溝部６０が、抜き差し方向Ｎに沿って形成されている。ロータ１３のキー差込孔１７に内溝キー１２を差し込むと、その内溝キー１２が板タンブラ２１〜２８の挿通孔５３に挿通され、係合溝部６０と板タンブラ２１，２３，２５，２７の第１係合突部５４とが係合（図２参照）し、係合溝部６０と板タンブラ２２，２４，２６，２８の第２係合突部５５（図３参照）とが係合する。
【００３３】
次に、内溝キー１２の係合溝部６０と、板タンブラ２１〜２８に形成された第１係合突部５４及び第２係合突部５５との関係、及びそれらの構成について詳述する。
図４（ａ）に示すように、内溝キー１２には、係合溝部６０が形成されていることにより、その係合溝部６０内に、互いに対向する第１側面６１と第２側面６２とが形成されている。
【００３４】
第１側面６１は、抜き差し方向Ｎに沿って波状をなす長尺な面となっており、その所々に４つの平面６１ａ，６１ｂ，６１ｃ，６１ｄを備えている。平面６１ａ〜６１ｄは、抜き差し方向Ｎと平行な平面である。内溝キー１２がシリンダ錠１１に差し込まれた状態において、平面６１ａは板タンブラ２１の第１係合突部５４と、平面６１ｂは板タンブラ２３の第１係合突部５４と、平面６１ｃは板タンブラ２５の第１係合突部５４と、平面６１ｄは板タンブラ２７の第１係合突部５４と当接（係合）する。
【００３５】
第１側面６１には、抜き差し方向Ｎに沿って互いに隣り合う平面（６１ａ〜６１ｄ）の端同士を滑らかに繋ぐ斜面６１ｅ，６１ｆ，６１ｇを備えている。斜面６１ｅは平面６１ａ，６１ｂ間に、斜面６１ｆは平面６１ｂ，６１ｃ間に、斜面６１ｇは平面６１ｃ，６１ｄ間に配置されている。このように第１側面６１は、平面６１ａ〜６１ｄ及び斜面６１ｅ〜６１ｇによって波状をなす面とされている。
【００３６】
同様に、第２側面６２は、抜き差し方向Ｎに沿って波状をなす長尺な面となっており、その所々に４つの平面６２ａ，６２ｂ，６２ｃ，６２ｄを備えている。平面６２ａ〜６２ｄは、抜き差し方向Ｎと平行な平面である。内溝キー１２がシリンダ錠１１に差し込まれた状態において、平面６２ａは板タンブラ２２の第２係合突部５５と、平面６２ｂは板タンブラ２４の第２係合突部５５と、平面６２ｃは板タンブラ２６の第２係合突部５５と、平面６２ｄは板タンブラ２８の第２係合突部５５と当接（係合）する。
【００３７】
第２側面６２には、抜き差し方向Ｎに沿って互いに隣り合う平面（６２ａ〜６２ｄ）の端同士を滑らかに繋ぐ斜面６２ｅ，６２ｆ，６２ｇを備えている。斜面６２ｅは平面６２ａ，６２ｂ間に、斜面６２ｆは平面６２ｂ，６２ｃ間に、斜面６２ｇは平面６２ｃ，６２ｄ間に配置されている。このように第２側面６２は、平面６２ａ〜６２ｄ及び斜面６２ｅ〜６２ｇによって波状をなす面とされている。
【００３８】
ところで、板タンブラ２１〜２８は、シリンダ錠１１の鍵違いを形成するために、４種類の板タンブラのうち一つからそれぞれ選定されたものである。上記板タンブラの種類の異なりは、第１係合突部５４及び第２係合突部５５を板タンブラに対して形成する位置を、可動方向Ｍにおいて異ならすことにより形成している。
【００３９】
本実施形態では、図６において、実線で示す第１係合突部５４及び第２係合突部５５のみを備えた板タンブラを種類「１」の板タンブラとしている。また同図において、第１係合突部５４ａ及び第２係合突部５５ａのみを備えた板タンブラを種類「２」の板タンブラ、第１係合突部５４ｂ及び第２係合突部５５ｂのみを備えた板タンブラを種類「３」の板タンブラ、第１係合突部５４ｃ及び第２係合突部５５ｃのみを備えた板タンブラを種類「４」の板タンブラとしている。
【００４０】
種類「１」の板タンブラは、第１端部５１から第１係合突部５４までの距離と第１端部５１から第２係合突部５５までの距離とが等しくなるように形成されている。種類「２」〜「４」の板タンブラにおいても同様である。
【００４１】
ちなみに、図４（ａ），（ｂ）に示すように、本実施形態では、板タンブラ２３，２８は種類「１」、板タンブラ２４，２７は種類「２」、板タンブラ２１，２２は種類「３」、板タンブラ２５，２６は種類「４」の板タンブラを選定している。
【００４２】
ちなみに、図４（ａ）に示すように、各第１係合突部５４及び各第２係合突部５５は、平面６１ａ〜６１ｄ，６２ａ〜６２ｄと当接する部分が、その平面６１ａ〜６１ｄ，６２ａ〜６２ｄと平行な平面となるように形成されている。ちなみに、この第１係合突部５４の平面及び第２係合突部５５の平面は、打ち抜き加工により金属板から板タンブラ２１〜２８を形成することにより、自然に平面６１ａ〜６１ｄ，６２ａ〜６２ｄと平行な平面となる。
【００４３】
従って、本実施形態によれば、以下に示す作用・効果を得ることができる。
（１）シリンダ錠１１は、ロータ１３の各収容室４１〜４４に板タンブラ（２１〜２８）が２つずつ収容されている。そのため、シリンダ錠１１は、各収容室にそれぞれ１つずつ板タンブラを収容したシリンダ錠に比して、各収容室４１〜４４を区切る壁が少なくて済む分、ロータ１３の軸線Ｏ１方向長さ及び内溝キー１２の抜き差し方向Ｎ長さを短くでき、鍵違い数を確保した上で小型化できる。シリンダ錠１１は、小型化によって軽量化もできる。また、シリンダ錠１１は、互いに当接し合う両板タンブラ（２１〜２８）を、該板タンブラ（２１〜２８）の可動方向Ｍに沿って互いに反対方向へ付勢するように構成したため、該シリンダ錠１１に内溝キー１２を好適に抜き差しできる。
【００４４】
この理由は図７に示すように、もし、互いに当接し合う両板タンブラ（２１〜２８）を、該板タンブラ（２１〜２８）の可動方向Ｍに沿って共に同方向（図中上方）へ付勢するようにシリンダ錠を構成すると、その内溝キー１１２は、係合溝部１６０の第２側面１６２に直角の段差Ｄを有した構成となる。内溝キー１１２の第２側面１６２に直角の段差Ｄがあると、その内溝キー１１２がシリンダ錠に抜き差しできなくなってしまうからである。
【００４５】
上記直角の段差Ｄによって内溝キーの抜き差しができないことを防ぐために、図８に示すように、内溝キー２１２の第２側面２６２を複数の曲面を繋ぐことによって波状をなす面を構成することも考えられる。しかしながら、このように構成すると、第２側面２６２と係合突部（第１係合突部５４及び第２係合突部５５）とが点接触での係合となってしまう。このような点接触による係合では、「遊び」を全く有さなくなり、キー差込孔１７にきちんと差し込まれた正規の内溝キー２１２が、僅かでも抜き差し方向Ｎへ移動すると、外周面１３ａから板タンブラ２１〜２８が突出し、ユーザはシリンダ錠１１の解錠を行えなくなってしまう。また、複数の曲面を繋ぐことによって構成された波状をなす面を制作することは、平面と斜面とによって構成された波状をなす面を制作することより難しく、製作コストが高くなってしまう。
【００４６】
しかしながら、本実施形態のシリンダ錠１１は、第１側面６１及び第２側面６２と係合突部（第１係合突部５４及び第２係合突部５５）とが面接触での係合となっている。そのため、シリンダ錠１１は、「遊び」を有することができる。そのため、キー差込孔１７にきちんと差し込まれた正規の内溝キー１２が、遊びの分だけ抜き差し方向Ｎへ移動しても、外周面１３ａから板タンブラ２１〜２８が突出することがない。従って、ユーザがキー差込孔１７へに正規の内溝キー１２を厳密に差し込まなくても、シリンダ錠１１の解錠を行うことができるため使い勝手がよくなる。
【００４７】
（２）第１収容口４１ａ〜４４ａから収容室４１〜４４へ収容した板タンブラ２１，２３，２５，２７は、その第１係合突部５４が内溝キー１２の係合溝部６０（第１側面６１）と係合し、その第２係合突部５５が該係合溝部６０と係合しない。逆に、第２収容口４１ｂ〜４４ｂから収容室４１〜４４へ収容した板タンブラ２２，２４，２６，２８は、その第２係合突部５５が内溝キー１２の係合溝部６０（第２側面６２）と係合し、その第１係合突部５４が該係合溝部６０と係合しない。よって、板タンブラに対して第１係合突部５４及び第２係合突部５５のうちの何れか一方のみを形成した場合に比して、本実施形態では、鍵違い数を確保するための板タンブラの種類数を半減させることが可能となる。
【００４８】
（３）第１端部５１から第１係合突部５４までの距離と第１端部５１から第２係合突部５５までの距離とが等しくなるように板タンブラ２１〜２８を形成したため、それらの距離が共に等しくない場合に比して、シリンダ錠１１を組み付ける作業者は、板タンブラ２１〜２８の管理を行いやすくなる。
【００４９】
（４）シリンダ錠１１は、外周面１３ａの一方側から突出する板タンブラ２１，２３，２５，２７と、外周面１３ａにおける板タンブラ２１，２３，２５，２７とは反対側から突出する板タンブラ２２，２４，２６，２８とを備えた。このため、シリンダ錠１１は、全ての板タンブラが外周面（１３ａ）の同方向から突出するシリンダ錠と比してセキュリティ性を高めることが可能となる。
【００５０】
（５）内溝キー１２は、その一側面のみに係合溝部６０を形成したため、両面に係合溝部６０を形成した内溝キーと比してその厚さを薄く構成することができ、携帯性を向上させることができる。
【００５１】
（６）シリンダ錠１１は、内溝キー１２に対応したものであるため、幅方向両側面にそれぞれ波状の係合部を有するキー（例えば、図９のキー）に対応したシリンダ錠と比してセキュリティ性が高い。
【００５２】
（７）シリンダ錠１１は、内溝キー１２に対応したものであるため、ディンプルキーに対応したシリンダ錠と比して鍵違い数を容易に確保することができる。この理由は、ディンプルキーは、キーの厚さ方向においてディンプルの深さを異ならすことにより他のディンプルキーとの鍵違いを形成していることに対し、内溝キーは、キーの幅方向において溝の位置を異ならすことにより他の内溝キーとの鍵違いを形成している。一般にキーは、厚さ方向の長さよりも幅方向の長さの方が長いため、内溝キーはディンプルキーと比して容易に鍵違い数を多くすることが可能となるからである。
【００５３】
なお、前記各実施形態は、以下の態様に変更してもよい。
・前記実施形態では、シリンダ錠１１は、一つの収容室に２つの板タンブラを収容するように構成していたいが、１つの収容室に３以上の板タンブラを収容するようにシリンダ錠を構成してもよい。この態様の変更の場合においても、互いに当接し合う両板タンブラを、該板タンブラの可動方向Ｍに沿って互いに反対方向へ付勢するように構成する。
【００５４】
・前記実施形態では、第１端部５１から第１係合突部５４までの距離と第１端部５１から第２係合突部５５までの距離とが等しくなるように板タンブラ２１〜２８を形成していたが、これらの距離が等しくならないように板タンブラ２１〜２８を形成してもよい。
【００５５】
・前記実施形態では、シリンダ錠１１は内溝キー１２に対応するものであったが、図９に示すように、幅方向両側面にそれぞれ波状の係合部８１を有するキー８２に対応するようにシリンダ錠を構成してもよい。
【００５６】
次に、上記各実施形態及びその態様の変更から把握できる技術的思想について以下に追記する。
（イ）前記第１収容口から前記収容室へ収容された前記板タンブラを前記第１収容口へ向けて付勢する第１付勢手段と、前記第２収容口から前記収容室へ収容された前記板タンブラを前記第２収容口へ向けて付勢する第２付勢手段とを備えたことを特徴とする請求項２乃至請求項４のうちいずれか１項に記載のシリンダ錠。
【００５７】
（ロ）前記キーの前記係合部は、前記第１係合突部と係合する部分が平面とされ、かつ前記第２係合突部と係合する部分が平面とされていることを特徴とする請求項２乃至請求項４、技術的思想（イ）のうちいずれか１項に記載のシリンダ錠。
【図面の簡単な説明】
【００５８】
【図１】本実施形態のシリンダ錠の分解斜視図。
【図２】本実施形態のシリンダ錠の第１収容口に対応した位置での断面図。
【図３】本実施形態のシリンダ錠の第２収容口に対応した位置での断面図。
【図４】（ａ）は、内溝キーの係合溝部を示す平面図。（ｂ）は、図１のロータを上から見た図。
【図５】図１のロータを下から見た図。
【図６】板タンブラの平面図。
【図７】互いに当接し合う両板タンブラを同方向へ付勢するようにシリンダ錠を構成した場合に、内溝キーに形成される係合溝部がどのような形状になるかを示した図。
【図８】第２側面を複数の曲面を繋ぐことによって構成した内溝キーの平面図。
【図９】態様の変更におけるキーの平面図。
【符号の説明】
【００５９】
１１…シリンダ錠、１２…キーとしての内溝キー、１３…ロータ、１３ａ…外周面、２１，２２，２３，２４，２５，２６，２７，２８…板タンブラ、４１，４２，４３，４４…収容室、４１ａ，４２ａ，４３ａ，４４ａ…第１収容口、４１ｂ，４２ｂ，４３ｂ，４４ｂ…第２収容口、５１…第１端部、５２…第２端部、５３…挿通孔、５３ａ…第１内面、５３ｂ…第２内面、５４，５４ａ，５４ｂ，５４ｃ…第１係合突部、５５，５５ａ，５５ｂ，５５ｃ…第２係合突部、６０…係合部としての係合溝部、８１…係合部、８２…キー、Ｍ…可動方向、Ｎ…抜き差し方向、Ｏ１…軸線。
【図１】
2005344305.tif 000003
【図２】
2005344305.tif 000004
【図３】
2005344305.tif 000005
【図４】
2005344305.tif 000006
【図５】
2005344305.tif 000007
【図６】
2005344305.tif 000008
【図７】
2005344305.tif 000009
【図８】
2005344305.tif 000010
【図９】
2005344305.tif 000011